(57)【要約】  【課題】  河川や用水等の水路に落ちた者を容易にかつ確実に救助する救助装置を提供すること課題とする。  【構成】 河川等の水路に落ちた者を救助するために該水路に設置するスクリーンと、該スクリーンの一端側を該水路の下流側水面上方で回動自在に固定する固定手段と、該スクリーンの他端側を該水路の上流側水面下に沈めて該スクリーンを傾斜させた状態で支持する支持手段と、該スクリーンが略水平になるまで該他端側を引き上げる駆動手段とを具備している。【選択図】 図１
2005028052.tif 000002
【特許請求の範囲】
【請求項１】
河川等の水路に落ちた者を救助するために該水路に設置するスクリーンと、該スクリーンの一端側を該水路の下流側水面上方で回動自在に固定する固定手段と、該スクリーンの他端側を該水路の上流側水面下に沈めて該スクリーンを傾斜させた状態で支持する支持手段と、該スクリーンが略水平になるまで該他端側を引き上げる駆動手段とを具備することを特徴とする人名救助装置。
【請求項２】
前記スクリーンは複数の棒材を略等間隔に配列して、該棒材の一端を中空軸に貫通穴を設けて貫通させて固設し、該棒材の他端をアングル材の一片に貫通穴を設けて貫通させて固設して構成したことを特徴とする請求項１に記載の人名救助装置。
【請求項３】
前記支持手段は水面上方で回転自在に固定されたドラムと、該ドラムに一端を固定して巻きつけ可能とし、他端を前記スクリーンに固定したロープ又はチェーン等からなる連結手段とを具備し、該連結手段は巻き付けを開放したときに前記スクリーンの他端が水中適宜の深さ位置に来るように構成すると共に、該連結手段を巻き上げたときに該スクリーンが略水平になるように該連結手段の長さを構成したことを特徴とする請求項１又は請求項２の何れか１に記載の人名救助装置。
【請求項４】
前記支持手段は前記スクリーン傾斜させて支持したときに、前記他端側が水路の底から一定の深さ位置で支持され、該スクリーンの下側に所定の隙間を設けて、流動物等がその隙間を通過して流れるように構成したことを特徴とする請求項１請求項３の何れか１に記載の人名救助装置。
【請求項５】
前記スクリーンの上流側又は下流側に人間が歩行可能な渡り橋を前記水路の上側に設けたことを特徴とする請求項１〜請求項４の何れか１に記載の人名救助装置。
【請求項６】
前記スクリーンの上側に、該水路に落ちた者が掴っていられる把持手段、又は掴って該水路から脱出できるようなはしご状手段を設けたことを特徴とする請求項１〜請求項５の何れか１に記載の人名救助装置。
【請求項７】
前記スクリーンに検出手段を設けて、該水路に落ちた者が掴ったとき、或いは流れてスクリーンに衝突したときに衝撃を検出する検出手段を設けたことを特徴とする請求項１〜請求項６の何れか１に記載の人名救助装置。
【請求項８】
前記駆動手段は、前記衝撃を検出したとき、或いは該駆動手段のスイッチをオンにしたときに前記スクリーンの他端側を巻き上げるように構成したことを特徴とする請求項１〜請求項７の何れか１に記載の人名救助装置。
【請求項９】
前記人名救助装置は更にビデオ手段を具備し、前記衝撃を検出したときは前記水路並びに前記スクリーンの状況を示す画像を所定の建物内に居る看視者等に送信する送信手段を設け、該建物内に設置されたスイッチ釦を押すことにより前記駆動手段の巻上げ作動を動作可能にしたことを特徴とする請求項１〜請求項８の何れか１に記載の人名救助装置。
【発明の詳細な説明】
【技術分野】
【０００１】
この発明は、河川や用水路又は湖の排水路等の水路に落ちた者を救助する救助装置に関するものである。
【背景技術】
【０００２】
河川等に落ちた者を救済する救済具としては、例えば特許文献１に開示されているように浮き又はブイ等の浮遊体を使用する用法や、或いは公開特許公報、特開２００３−２２８６号に開示されているようにボートを使用する方法が従来行われていた。これらの方法は監視者が監視をしていて河川等に落ちた者を発見した場合には役立つが、監視者を置かなければ対応できないという問題がある。
【０００３】
又、特許文献２に開示されているように、フロート等を取り付けたロープや網を水路中の流れに直交する方向に張っておき、水路の両岸にロープや網等を固定して置く方法も提案されている。しかし、水路等に落ちた者が自力でこれに掴って水路から脱出するのは困難な場合が多く問題である。例えば、水路等に落ちた者は慌てたり、もがいたりしてロープを掴めない場合や網に体の一部が絡まって脱出が困難になることがある。
【特許文献１】特開２００１−１６３２９４号公報
【特許文献２】特開２０００−１４４７００号公報
【発明の開示】
【発明が解決しようとする課題】
【０００４】
以上に説明したように、従来装置では監視者を配置する必要があったり、或いは救済が確実に行われなかったりするという課題があった。本願発明は監視者を常時配置しなくとも、河川や用水等の水路に落ちた者を容易にかつ確実に救助する救助装置を提供すること課題とする。
【課題を解決するための手段】
【０００５】
本発明は上記の課題を解決するための手段として以下の構成を採用している。即ち、
請求項１に記載の発明は、河川等の水路に落ちた者を救助するために該水路に設けられた人名救助用スクリーンと、該スクリーンの一端側を該水路の下流側水面上方で回動自在に固定する固定手段と、該スクリーンの他端側を該水路の上流側水面下に沈めて該スクリーンを傾斜させた状態で支持する支持手段と、該スクリーンが略水平になるまで該他端側を引き上げる駆動手段とを具備することを特徴とする。
【０００６】
また、請求項２に記載の発明は、請求項１に記載の発明において、前記スクリーンは複数の棒材を略等間隔に配列して、該棒材の一端を中空軸に貫通穴を設けて貫通させて固設し、該棒材の他端をアングル材の一片に貫通穴を設けて貫通させて固設して構成したことを特徴としている。
本発明は、スクリーンを強固に構成し、軽量化を図ることを実現している。
【０００７】
請求項３に記載の発明は、請求項１〜請求項２に記載の発明において、前記支持手段は水面上方で回転自在に固定されたドラムと、該ドラムに一端を固定して巻きつけ可能とし、他端を前記スクリーンに固定したロープ又はチェーン等からなる連結手段とを具備し、該連結手段は巻き付けを開放したときに前記スクリーンの他端が水中適宜の深さ位置に来るように構成すると共に、該連結手段を巻き上げたときに該スクリーンが略水平になるように該連結手段の長さを構成したことを特徴としている。
本発明により水路に落ちた者の救済を容易にしている。
【０００８】
請求項４に記載の発明は、請求項１〜請求項３に記載の発明において、前記支持手段は前記スクリーン傾斜させて支持したときに、前記他端側が水路の底から一定の深さ位置で支持され、該スクリーンの下側に所定の隙間を設けて、流動物等がその隙間を通過して流れるように構成したことを特徴としている。
本発明により、水路に落ちた者と水中を流れる流動物との区別化を図っている。
【０００９】
請求項５に記載の発明は、請求項１〜請求項４に記載の発明において、前記スクリーンの上流側又は下流側に人間が歩行可能な渡り橋を前記水路の上側に設けたことを特徴としている。
本発明により、水路に落ちた者の救済作業を容易にしている。
【００１０】
請求項６に記載の発明は、請求項１〜請求項５に記載の発明において、前記スクリーンの上側に、該水路に落ちた者が掴っていられる把持手段、又は掴って該水路から脱出できるようなはしご状手段を設けたことを特徴としている。
本発明は水路に落ちた者の不安感を除去し、また、自力で脱出可能にしている。
【００１１】
請求項７に記載の発明は、請求項１〜請求項６に記載の発明において、前記スクリーンに検出手段を設けて、該水路に落ちた者が掴ったとき、或いは流れてスクリーンに衝突したときに衝撃を検出する検出手段を設けたことを特徴としている。
本発明は監視者がいない場合でも救助可能にする。
【００１２】
請求項８に記載の発明は、請求項１〜請求項７に記載の発明において、前記駆動手段は、前記衝撃を検出したとき、或いは該駆動手段のスイッチをオンにしたときに前記スクリーンの他端側を巻き上げるように構成したことを特徴としている。
【００１３】
請求項９に記載の発明は、請求項１〜請求項８に記載の発明において、前記人名救助装置は更にビデオ手段を具備し、前記衝撃を検出したときは前記水路並びに前記スクリーンの状況を示す画像を所定の建物内に居る看視者等に送信する送信手段を設け、該建物内に設置されたスイッチ釦を押すことにより前記駆動手段の巻上げ作動を動作可能にしたことを特徴としている。
【発明の効果】
【００１４】
本発明の構成によれば、水路に落ちた者を容易かつ確実に救済できるという効果が得られる。また、請求項６、請求項８記載の発明によれば、さらに、水路に落ちた者が自力で脱出でき、監視が容易になるという効果が得られる。
【発明を実施するための最良の形態】
【００１５】
以下本発明の実施形態を図に基づいて説明する。図１〜図３は第１実施形態を示す。図１は第１実施形態の側面図、図２は正面図、図３は上平面図を示す。図１〜図３において、水路１０に人命救助用スクリーン１１の一側が水上に回動自在に固設され、他端が水中の沈んだ状態に維持される。スクリーン１１は複数の棒材を略等間隔に配列し、棒材の一側は軸１１ａに固設され、棒材の他の側はアングル材１１ｂに固設して構成されている。軸１１ａは両端の実軸と中央の中空軸部で構成されている。軸１１は水路１０の両岸に設置された２個の軸受け１３により回動自在に固定されている。軸受け１３は各々軸受け固定台１４に取付けられている。
【００１６】
スクリーン１１のアングル材１１ｂ側の適所に２本のロープ１５、１５の一端を固定し、ロープ１５の他端は水路１０の上方適当な高所に設けられている巻上げドラム１６に固設されている。ロープ１５は鋼製ロープ等から構成され、ロープ１５を開放したときにスクリーン１１のアングル材１１ｂが水路１０の底１０ｃから適当な高さの位置で停止し、ロープ１５を巻き上げたときにスクリーン１１が略水平となるようにロープ長さが構成されている。
【００１７】
巻き上げドラム１６，１６は軸１７の両端部に固設されている。軸１７は軸受け１８，１８に回転自在に保持され、軸１７の一側は延長され、減速機１９とモータ２０からなる駆動手段２１に連結されている。軸受け１８と駆動手段２１は基台２２及び２３の上に固定されている。又、駆動手段２１のスイッチ（図示省略）が基台２２又は適当な場所（例えば、監視室）に設けられており、該スイッチを操作することにより、スクリーン１１を上下できるように構成されている。なお、スクリーン１１の上流側には人間が歩行可能な渡り橋２６が水路１０の両岸１０ａ、１０ａをまたいで設けられている。渡り橋２６の一側に手摺り２７を設けて、掴って渡れるようにされている。又、スクリーン１１の下流側には渡り橋２８が水路１０の両岸１０ａ、１０ａをまたいで設けられている。
【００１８】
第１実施形態は以上のように構成したので以下のように機能する。通常はスクリーン１１を図示のような状態に保持しておく。人が水路に落ちているのを発見した監視人はスクリーン１１の方に泳ぎ、或いは流れるように、声を出して指示する。水路に落ちた者がスクリーン１１に乗って、棒材に掴ったときを見計らって前記スイッチを入れて駆動手段２１を作動させ、スクリーン１１を略水平になるまで持ち上げる。スクリーン１１が水平になったときに水路に落ちた者はスクリーン１１から渡り橋２６（又は２８）を渡って救出される。又、水路に大きな浮遊物が流れてきたときはスクリーンを少し持ち上げて下流に流すか、或いはスクリーン１１を水平まで持ち上げて、例えば、監視者が取り除き、処分する。
【００１９】
図４〜図６を利用して本発明の第２実施形態を説明する。なお、第１実施形態と同じ構成要素については同じ参照番号を付して詳細な説明を省略し、相違する点について詳細に説明する。図４は第２実施形態の側面図を示し、図５は正面図を示す。第１実施形態では、スクリーン１１を上下させるロープ１５の一端が常時水中に沈んでいるに対して、第２実施形態では、図４及び図５に示すように、スクリーン１１の常時水面上に出ている部分にＶ字形状の部材３１を固設して、Ｖ字形状の交差点にロープ１５の一端を固定した。これによって、ロープ１５は全体が水面上に出ている状態になっている。従って、ロープ１５に対する腐食防止が容易になると共に、装置全体の寿命が長くなっている。
【００２０】
さらに、スクリーン１１の上側にはしご３３を設けて、水路に落ちた者がはしご３３に掴って自力で脱出できるように構成した。即ち、はしご３３は矩形フレーム３３ａに部材３３ｂを水平に固設して構成している。はしご３３はスクリーン１１の上側面に溶接して固定して設けてもよい。
【００２１】
図６は、はしご３３に水路に落ちた者が掴ったときに、それを検出する検出手段３５と兼用して設けた例を示す。図６（Ａ）は正面図、（Ｂ）は側面図を示す。図６において、はしご３３はピン３４によって小さい角度だけ揺動可能に固定されており、落ちたものが掴ったときに図（Ｂ）の時計方向に回動するように構成されている。また、はしご３３の適宜の位置、例えば、上側フレームに検出手段３５としてマイクロスイッチ（図示省略）が設けられており、水路に落ちた者が掴ったときに検出できるように構成されている。
【００２２】
上記検出手段によって水路に落ちた者が掴ったことを検出した場合は、駆動手段２１のスイッチ（図示省略）がオンになり、巻き上げドラム１６が回転してスクリーン１１を水平状態になるように構成してもよい。或いは、図示されていないブザーによって警報音を鳴らして監視者に報せるようにしてもよい。又は、基台２２（又は２３）の上に図示省略のビデオカメラを設けておいて、水路１０に落ちた者が掴っている状況を監視室等に設けられたモニタ（テレビ等、図示省略）に表示するように構成してもよい。
【００２３】
第２実施形態は上記のように構成されているので、前述した第１実施形態の機能を発揮する他に更に以下の機能を持っている。まず、ロープ１５が水中に浸っている部分がなくなり、腐食防止が容易になったために装置全体として長寿命が期待できる。また、はしご手段３３を設けたことにより、水路１０に落ちた者の不安感を和らげるだけでなく、自力で脱出できるという利点がある。また、ビデオカメラや警報装置等を設けた場合は常時監視者をおく必要がなくなり、監視が容易になる。
【００２４】
なお、はしご３３の代わりに、図示省略の浮きをスクリーン１１上の水面に浮かぶようにしておいて、浮きにコードを接続し、コードにスイッチを接続する構成にしてもよい。即ち、水路１０に落ちた者が浮きに掴ったときに駆動手段２１のスイッチ（図示省略）がオンになり、巻き上げドラム１６が回転してスクリーン１１を水平状態になるようにしてもよい。或いは、ブザーにより警報音を鳴らしたり、その状況を監視室のモニタに表示するようにしても良い。
【００２５】
以上本発明の実施形態を図面に基づいて詳述してきたが、本発明の技術的範囲はこれに限られるものではない。
【図面の簡単な説明】
【００２６】
【図１】第１実施形態の側面図を示す。
【図２】第１実施形態の正面図を示す。
【図３】第１実施形態の上平面図を示す。
【図４】第２実施形態の側面図を示す。
【図５】第２実施形態の正面図を示す。
【図６】はしご手段の例を示す。
【符号の説明】
【００２７】
１０      水路
１１      スクリーン
１４      固定台
１５      ロープ
１６      巻き上げドラム
１７      ドラム軸
１９      減速機
２０      モータ
２１      駆動手段
２２、２３    基台
２６、２８    渡り橋
３１        Ｖ字形状部材
３３        はしご（はしご手段）
【図１】
2005028052.tif 000003
【図２】
2005028052.tif 000004
【図３】
2005028052.tif 000005
【図４】
2005028052.tif 000006
【図５】
2005028052.tif 000007
【図６】
2005028052.tif 000008